【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
円筒形状を有し、周面に保持された媒体を周方向に沿って搬送する圧胴と、
前記圧胴の周面に保持された媒体に液を塗布する塗布ローラと、
前記塗布ローラを前記圧胴の周面に付勢させる塗布ローラ付勢部と、
前記塗布ローラを前記圧胴の周面から離間させる離間機構と、
前記塗布ローラを揺動可能に支持する塗布ローラ支持部と、
計量された所定量の液を前記塗布ローラへ供給する供給ローラと、
前記供給ローラと前記塗布ローラとの接触及び離間を切り換えるように前記供給ローラを移動させる移動手段と、
を備え、
前記移動手段は、前記供給ローラを揺動可能に支持する供給ローラ支持部と、
前記供給ローラ支持部を所定のカム曲線に従って移動させる供給ローラ揺動用カムと、
前記供給ローラ揺動用カムと一体に構成され、回転軸が前記塗布ローラ支持部に支持される供給ローラ揺動用ギアと、
を具備し、前記供給ローラ揺動用カムの回転軸及び前記供給ローラ揺動用ギアの回転軸は、前記塗布ローラ支持部に支持される構造を有することを特徴とする塗布装置。
【請求項２】
請求項１に記載の塗布装置において、
前記移動手段は、前記供給ローラを前記塗布ローラから離間させる際に、前記塗布ローラの前記媒体への当接圧力が減少しないように、前記供給ローラ揺動用カムの回転軸及び前記供給ローラ揺動用ギアの回転軸を所定の方向へ回転させる構造を有することを特徴とする塗布装置。
【請求項３】
請求項１又は２に記載の塗布装置において、
前記塗布ローラ支持部に一方の端が固定され、前記供給ローラ支持部に他方の端が固定される構造を有する弾性部材を含み、前記供給ローラを前記塗布ローラに付勢させる供給ローラ付勢部と、
を備えたことを特徴とする塗布装置。
【請求項４】
請求項１乃至３のいずれかに記載の塗布装置において、
前記供給ローラは、前記塗布ローラ支持部に支持される揺動支点軸を支点として揺動可能に支持されることを特徴とする塗布装置。
【請求項５】
請求項１乃至４のいずれかに記載の塗布装置において、
前記移動手段は、前記供給ローラ揺動用カムの回転軸及び前記供給ローラ揺動用ギアの回転軸に連結される駆動源が、前記塗布ローラ支持部に支持される構造を有することを特徴とする塗布装置。
【請求項６】
請求項１乃至５のいずれかに記載の塗布装置において、
前記離間機構は、前記圧胴の周面に設けられる媒体の端部を挟持する挟持部材の配置位置に対応する位置に設けられ、前記圧胴の周面に接触している塗布ローラが乗り上げる構造を有する、前記圧胴の周面から突出した突起部を含むことを特徴とする塗布装置。
【請求項７】
請求項１乃至６のいずれかに記載の塗布装置において、
前記塗布ローラを所定の回転速度で回転させる塗布ローラ回転手段と、
前記供給ローラを所定の回転速度で回転させる供給ローラ回転手段と、
前記媒体の塗布開始位置が前記塗布ローラと前記圧胴との接触位置へ移動するまでの時間が、前記供給ローラと前記塗布ローラとの接触位置にある液体が前記塗布ローラと前記圧胴との接触位置へ移動するまでの時間と同一になるタイミングで前記供給ローラを前記塗布ローラへ接触させるように前記移動手段の動作タイミングを制御する制御手段を備えたことを特徴とする塗布装置。
【請求項８】
請求項７に記載の塗布装置において、
前記制御手段は、前記媒体の塗布終了位置が前記塗布ローラと前記圧胴との接触位置へ移動するまでの時間が、前記供給ローラと前記塗布ローラとの接触位置にある液体が前記塗布ローラと前記圧胴との接触位置へ移動するまでの時間と同一になるタイミングで前記供給ローラを前記塗布ローラから離間させるように前記移動手段の動作タイミングを制御することを特徴とする塗布装置。
【請求項９】
円筒形状を有し、周面に保持された媒体を周方向に沿って搬送する圧胴と、
前記圧胴の周面に保持された媒体に液体を塗布する塗布装置と、
前記塗布装置により液体が塗布された媒体に画像を形成する画像形成手段と、
を具備し、
前記塗布装置は、前記圧胴の周面に保持された媒体に液を塗布する塗布ローラと、
前記塗布ローラを前記圧胴の周面に付勢させる塗布ローラ付勢部と、
前記塗布ローラを前記圧胴の周面から離間させる離間機構と、
前記塗布ローラを揺動可能に支持する塗布ローラ支持部と、
計量された所定量の液を前記塗布ローラへ供給する供給ローラと、
前記供給ローラと前記塗布ローラとの接触及び離間を切り換えるように前記供給ローラを移動させる移動手段と、
を備え、
前記移動手段は、前記供給ローラと連結される伝達機構を具備し、前記伝達機構は前記塗布ローラ支持部に支持される構造を有することを特徴とする画像形成装置。
【請求項１０】
請求項９に記載の画像形成装置において、
前記塗布装置は、前記画像形成手段による画像形成に用いられるインクを凝集又は不溶化させる機能を有する処理液を前記媒体に塗布することを特徴とする画像形成装置。
【手続補正２】
【補正対象書類名】明細書
【補正対象項目名】００５６
【補正方法】変更
【補正の内容】
【００５６】
グリッパー１８０Ａ，１８０Ｂにより記録媒体１１４の先端部を狭持した状態で、渡し胴１３２，１４２，１５２，１６２及び圧胴１３４，１４４，１５４，１６４を所定の方向に回転させると、渡し胴１３２，１４２，１５２，１６２及び圧胴１３４，１４４，１５４，１６４の外周面に沿って記録媒体１１４が回転搬送される。
【手続補正３】
【補正対象書類名】明細書
【補正対象項目名】００７８
【補正方法】変更
【補正の内容】
【００７８】
乾燥処理装置１５６は、ヒータによる加熱、ファンによる送風、又はこれらを併用して記録媒体１１４上に存在する液体成分を蒸発させる乾燥処理を施し、記録媒体１１４上の液体成分を除去するための処理部である。記録媒体１１４に付与される加熱量及び送風量は、記録媒体１１４上に残留する水分量、記録媒体１１４の種類、及び記録媒体１１４の搬送速度（干渉処理時間）等のパラメータに応じて適宜設定される。
【手続補正４】
【補正対象書類名】明細書
【補正対象項目名】００８３
【補正方法】変更
【補正の内容】
【００８３】
（定着処理部）
定着処理部１６０は、記録媒体１１４を保持して搬送する圧胴（定着胴）１６４と、画像形成がされ、さらに、液体が除去された記録媒体１１４に加熱処理を施すヒータ１６６と、該記録媒体１１４を記録面側から押圧する定着ローラ１６８と、を備えて構成される。なお、定着胴１６４の基本構造は処理液胴１３４、描画胴１４４、及び乾燥胴１５４と共通しているので、ここでの説明は省略する。ヒータ１６６及び定着ローラ１６８は、定着胴１６４の外周面に対向する位置に配置され、定着胴１６４の回転方向（図１２において反時計回り方向）の上流側から順に配置される。
【手続補正５】
【補正対象書類名】明細書
【補正対象項目名】００９５
【補正方法】変更
【補正の内容】
【００９５】
インクジェットヘッド１４８Ｍ，１４８Ｋ，１４８Ｃ，１４８Ｙの吐出方式として、圧力室の上面を構成する振動板に、個別電極と共通電極との間に圧電体部がはさまれた構造を有する圧電素子を配設し、個別電極と共通電極との間に所定の駆動電圧を印加することによって振動板を変形させ、圧力室の容積変化に対応した体積のインクを吐出させる圧電方式が適用される。もちろん、圧力室内にヒータを備え、ヒータの加熱による膜沸騰の圧力を利用してインクを吐出させるサーマル方式を適用することも可能である。
【手続補正６】
【補正対象書類名】明細書
【補正対象項目名】０１０１
【補正方法】変更
【補正の内容】
【０１０１】
また、搬送制御部２４４は、画像処理部２４６により生成された印字制御用の信号に基づいて記録媒体１１４（図１２参照）の搬送タイミング及び搬送速度を制御する。図１３における搬送駆動部１５６は、図１２の圧胴１３４，１４４，１５４，１６４を回転させるモータや、渡し胴１３２，１４２，１５２，１６２を回転させるモータ、給紙部１２０における記録媒体１１４の送出機構のモータ、排出部１７０の張架ローラ１７２Ａ（１７２Ｂ）を駆動するモータなどが含まれ、搬送制御部２４４は上記のモータのドライバーとして機能している。
【手続補正７】
【補正対象書類名】明細書
【補正対象項目名】０１０５
【補正方法】変更
【補正の内容】
【０１０５】
処理液付与制御部２６０は、画像処理部２４６から得られた印字データに基づいて、処理液付与のタイミングの制御を制御するとともに、処理液の付与量を制御する。詳細は後述するが、処理液塗布部１３０に具備される処理液塗布装置（図２に符号１３６を付して図示）は、圧胴（図２に符号１２を付して図示）に対して塗布ローラ（図１に符号１４を付して図示）の当接（接触）及び離間が可能となるように、塗布ローラを移動させる塗布ローラ移動機構（図２参照）を備えるとともに、塗布ローラに対して塗布ローラへ供給される処理液量を計量するアニロックスローラ（図２に符号３０を付して図示）の当接（接触）及び離間が可能となるように、該アニロックスローラを移動させるアニロックスローラ移動機構（図２参照）を備えている。
【手続補正８】
【補正対象書類名】明細書
【補正対象項目名】０１１９
【補正方法】変更
【補正の内容】
【０１１９】
（発明２）：発明１に記載の塗布装置において、前記移動手段は、前記供給ローラを前記塗布ローラから離間させる際に、前記塗布ローラの前記媒体への当接圧力が減少しないように、前記供給ローラ揺動用カムの回転軸及び前記供給ローラ揺動用ギアの回転軸を所定の方向へ回転させる構造を有することを特徴とする。